(57)【要約】      （修正有）【課題】設計者の開発設計リードタイムを短縮させること。【解決手段】設計用部品検索システム２は、部品に係る代表品名が登録され、入力された部品名に基づいて前記第１のデータベースを検索し、抽出した代表品名を出力する。ＣＡＤライブラリシステム３は、各代表品名のライブラリが登録され、代表品名が入力されると、対応するライブラリを読み出して出力する。ＣＡＤ設計システム４は、入力されたライブラリに基づいて、代表品名よりなる部品表が作成可能であり、部品表を出力する。発注用部品情報システム５は、代表品名ごとに対応する生産最適荷姿品名が登録され、部品表が入力されることにより、部品表に含まれた代表品名を抽出して対応する生産最適荷姿品名に変換し、生産最適荷姿品名を出力する。発注システム６は、生産最適荷姿品名が入力されることにより、生産最適荷姿品名に基づいて発注票を生成し、生成された発注票を出力する。【選択図】図１
2006252127.tif 000002
【特許請求の範囲】
【請求項１】
設計に用いられた部品を発注する部品発注システムにおいて、
１又は複数の部品に係る代表品名が登録された第１のデータベースを有するとともに、入力された部品名に基づいて前記第１のデータベースを検索する機能を有し、検索により抽出した代表品名を出力する機能を有する部品検索システムと、
ＣＡＤ設計の際に用いる各部品のライブラリが登録された第２のデータベースを有するとともに、前記部品検索システムからの前記代表品名が入力されると、前記第２のデータベースから前記代表品名に対応するライブラリを読み出す機能を有し、読み出した前記ライブラリを出力する機能を有するＣＡＤライブラリシステムと、
前記ＣＡＤライブラリシステムからの前記ライブラリに基づいて、前記代表品名よりなる部品表が作成可能であるとともに、作成された前記部品表を出力する機能を有するＣＡＤ設計システムと、
前記代表品名ごとに対応する生産最適荷姿品名が登録された第３のデータベースを有するとともに、前記ＣＡＤ設計システムからの前記部品表が入力されることにより、前記部品表に含まれた前記代表品名を抽出する機能を有し、前記第３のデータベースに基づいて、抽出された前記代表品名に対応する生産最適荷姿品名に変換する機能を有し、前記生産最適荷姿品名を出力する機能を有する発注用部品情報システムと、
前記発注用部品情報システムからの前記生産最適荷姿品名が入力されることにより、前記生産最適荷姿品名に基づいて発注票を生成する機能を有し、生成された前記発注票を出力する機能を有する発注システムと、
を備え、
前記代表品名は、荷姿に関係のない品名であり、
前記生産最適荷姿品名は、前記代表品名に対応する生産に最適な荷造りされた状態の品名であることを特徴とする部品発注システム。
【請求項２】
前記ＣＡＤ設計システムは、前記ＣＡＤライブラリシステムからの前記ライブラリに基づいて、設計図が作成可能であるとともに、作成された前記設計図を出力する機能を有することを特徴とする請求項１記載の部品発注システム。
【請求項３】
前記発注システムは、生成した前記発注票を受注者の端末に送信する機能を有することを特徴とする請求項１又は２記載の部品発注システム。
【請求項４】
設計に用いられた部品を発注する部品発注方法において、
入力された部品名に基づいて、１又は複数の部品に係る荷姿に関係のない代表品名が登録された第１のデータベースを検索することにより、代表品名を抽出するステップと、
抽出した前記代表品名に基づいて、ＣＡＤ設計の際に用いる各部品のライブラリが登録された第２のデータベースから前記代表品名に対応するライブラリを読み出すステップと、
読み出した前記ライブラリに基づいて作成された前記代表品名よりなる部品表に基づいて前記部品表に含まれた前記代表品名を抽出し、前記代表品名ごとに対応する生産に最適な荷造りされた状態の生産最適荷姿品名が登録された第３のデータベースに基づいて、抽出された前記代表品名に対応する生産最適荷姿品名に変換するステップと、
変換した前記生産最適荷姿品名に基づいて発注票を生成するステップと、
を含むことを特徴とする部品発注方法。
【発明の詳細な説明】
【技術分野】
【０００１】
本発明は、部品発注システム及びその方法に関し、特に、開発設計リードタイムを短縮させる部品発注システム及びその方法に関する。
【背景技術】
【０００２】
従来の部品発注システムでは、設計者が部品荷姿を管理し、生産部門で必要な荷姿品名を登録し、生産部門で登録された品名に対してライブラリを作成していた。
【０００３】
例えば、従来の部品発注システム１０１では、設計用部品検索システム１０２と、ＣＡＤライブラリシステム１０３と、ＣＡＤ設計システム１０４と、発注システム１０６と、を備えるものがある（図２参照）。設計用部品検索システム１０２は、部品に係る生産最適荷姿品名（生産に最適な荷造りされた状態の品名）を検索するためのコンピュータシステムであり、各部品に係る生産最適荷姿品名が登録されたデータベースを有し、入力された部品名に基づいて当該データベースを検索し、対応する部品を抽出し、抽出した部品に係る生産最適荷姿品名をＣＡＤライブラリシステム１０３に向けて出力する。ＣＡＤライブラリシステム１０３は、ＣＡＤ設計の際に用いる各部品のライブラリ（例えば、部品の仕様など）が登録されたデータベースを有するコンピュータシステムであり、設計用部品検索システム１０２からの部品に係る生産最適荷姿品名が入力されると、データベースから当該代表品名に対応するライブラリを読み出し、当該ライブラリをＣＡＤ設計システム１０４に向けて出力する。ＣＡＤ設計システム１０４は、ＣＡＤにより設計図および部品表（各部品の品名が生産最適荷姿品名よりなる表）を作成するためのコンピュータシステムであり、設計者によって作成された設計図及び部品表を出力（表示、印刷等）し、当該部品表については発注システム１０６に向けて出力する。発注システム１０６は、部品に係る生産最適荷姿品を発注するためのコンピュータシステムであり、ＣＡＤ設計システム１０４からの部品表が入力されることにより、当該部品表に含まれた全ての生産最適荷姿品名を抽出し、当該生産最適荷姿品名について発注票を生成し、当該発注票を出力（表示、印刷など）し、当該発注票を受注者の端末に送信する。
【０００４】
【特許文献１】特開２０００−２９３５７０号公報
【特許文献２】特開平３−２２１３６０号公報
【発明の開示】
【発明が解決しようとする課題】
【０００５】
しかしながら、従来の部品発注システムでは、部品単体で見たときに同一な部品について、複数の荷姿品名及びそれに対応するライブラリを登録する必要があった。
【０００６】
また、資材部門での購入形態や生産ラインの変更の度に、違う荷姿品名に変更し部品表を改版する必要があり、多大な時間を要し、開発設計リードタイムが長くなるという問題があった。
【０００７】
本発明の課題は、設計者の開発設計リードタイムを短縮させることである。
【課題を解決するための手段】
【０００８】
本発明の第１の視点においては、設計に用いられた部品を発注する部品発注システムにおいて、１又は複数の部品に係る代表品名が登録された第１のデータベースを有するとともに、入力された部品名に基づいて前記第１のデータベースを検索する機能を有し、検索により抽出した代表品名を出力する機能を有する部品検索システムと、ＣＡＤ設計の際に用いる各部品のライブラリが登録された第２のデータベースを有するとともに、前記部品検索システムからの前記代表品名が入力されると、前記第２のデータベースから前記代表品名に対応するライブラリを読み出す機能を有し、読み出した前記ライブラリを出力する機能を有するＣＡＤライブラリシステムと、前記ＣＡＤライブラリシステムからの前記ライブラリに基づいて、前記代表品名よりなる部品表が作成可能であるとともに、作成された前記部品表を出力する機能を有するＣＡＤ設計システムと、前記代表品名ごとに対応する生産最適荷姿品名が登録された第３のデータベースを有するとともに、前記ＣＡＤ設計システムからの前記部品表が入力されることにより、前記部品表に含まれた前記代表品名を抽出する機能を有し、前記第３のデータベースに基づいて、抽出された前記代表品名に対応する生産最適荷姿品名に変換する機能を有し、前記生産最適荷姿品名を出力する機能を有する発注用部品情報システムと、前記発注用部品情報システムからの前記生産最適荷姿品名が入力されることにより、前記生産最適荷姿品名に基づいて発注票を生成する機能を有し、生成された前記発注票を出力する機能を有する発注システムと、を備え、前記代表品名は、荷姿に関係のない品名であり、前記生産最適荷姿品名は、前記代表品名に対応する生産に最適な荷造りされた状態の品名であることを特徴とする。
【０００９】
本発明の第２の視点においては、設計に用いられた部品を発注する部品発注方法において、入力された部品名に基づいて、１又は複数の部品に係る荷姿に関係のない代表品名が登録された第１のデータベースを検索することにより、代表品名を抽出するステップと、抽出した前記代表品名に基づいて、ＣＡＤ設計の際に用いる各部品のライブラリが登録された第２のデータベースから前記代表品名に対応するライブラリを読み出すステップと、読み出した前記ライブラリに基づいて作成された前記代表品名よりなる部品表に基づいて前記部品表に含まれた前記代表品名を抽出し、前記代表品名ごとに対応する生産に最適な荷造りされた状態の生産最適荷姿品名が登録された第３のデータベースに基づいて、抽出された前記代表品名に対応する生産最適荷姿品名に変換するステップと、変換した前記生産最適荷姿品名に基づいて発注票を生成するステップと、を含むことを特徴とする。
【発明の効果】
【００１０】
本発明（請求項１−４）によれば、設計者に荷姿を意識させることなく部品発注及び生産が可能となる。また、設計者は荷姿を意識することなく、設計できるため設計が効率化され、設計リードタイムを短縮することができる。さらに、発注者が生産部門の所要に応じて適宜、荷姿を変更することにより、不良在庫部品を持つことなく、生産コストを最小化することができる。
【発明を実施するための最良の形態】
【００１１】
本発明の実施形態１に係る部品発注システムについて図面を用いて説明する。図１は、本発明の実施形態１に係る部品発注システムの構成を模式的に示したブロック図である。
【００１２】
部品発注システム１は、部品を発注するためのシステムであり、設計用部品検索システム２と、ＣＡＤライブラリシステム３と、ＣＡＤ設計システム４と、発注用部品情報システム５と、発注システム６と、を有する。
【００１３】
設計用部品検索システム２は、部品に係る代表名を検索するためのコンピュータシステムである。設計用部品検索システム２は、各部品に係る代表品名が登録されたデータベースを有し、入力された部品名に基づいて当該データベースを検索し、検索により抽出した対応する代表品名をＣＡＤライブラリシステム３に向けて出力する。ここで、部品は、通常、１つの部品について複数の荷姿品名（荷造りされた状態の品名）が存在するが、設計用部品検索システム２のデータベースには、１つの部品について荷姿に関係のない１つの代表品名（例えば、バラ品名）のみが、部品ごとに登録されており、例えば、部品１に係る代表品名、部品２に係る代表品名、……、部品Ｎ（Ｎは２以上の整数）に係る代表品名のように登録されている。
【００１４】
ＣＡＤライブラリシステム３は、ＣＡＤ設計の際に用いる各部品のライブラリ（例えば、部品の仕様など）が登録されたデータベースを有するコンピュータシステムである。ＣＡＤライブラリシステム３は、設計用部品検索システム２からの部品に係る代表品名が入力されると、データベースから当該代表品名に対応するライブラリを読み出し、読み出した当該ライブラリをＣＡＤ設計システム４に向けて出力する。ＣＡＤライブラリシステム３のデータベースには、例えば、部品１に係る代表品名のライブラリ、部品２に係る代表品名のライブラリ、……、部品Ｎに係る代表品名のライブラリが登録されている。
【００１５】
ＣＡＤ設計システム４は、ＣＡＤにより設計図および部品表を作成するためのコンピュータシステムである。ＣＡＤ設計システム４では、設計者（電気設計者、機械設計者など）がＣＡＤライブラリシステム３からのライブラリに基づいて設計（電気設計、機械設計など）が可能であり、設計者が設計図及び部品表を作成する。ここで、部品表は、１又は複数の部品に係る代表品名よりなる表である。ＣＡＤ設計システム４は、作成された設計図及び部品表を出力（表示、印刷等）し、当該部品表については発注用部品情報システム５に向けて出力する。
【００１６】
発注用部品情報システム５は、部品表に基づいて発注用部品を検索するためのコンピュータシステムである。発注用部品情報システム５は、代表品名ごとに対応する生産最適荷姿品名が登録されたデータベースを有する。ここで、生産最適荷姿品名は、生産に最適な荷姿品名であり、生産部門の所要に応じて発注者によって登録されるものである。発注用部品情報システム５は、ＣＡＤ設計システム４からの部品表が入力されることにより、当該部品表に含まれた全ての代表品名を抽出し、当該代表品名の全てに対応する生産最適荷姿品名に変換し、当該生産最適荷姿品名を発注システム６に向けて出力する。
【００１７】
発注システム６は、生産最適荷姿品を発注するためのコンピュータシステムである。発注システム６は、発注用部品情報システム５からの生産最適荷姿品名が入力されることにより、生産最適荷姿品名に基づいて発注票を生成し、当該発注票を出力（表示、印刷など）し、当該発注票を受注者の端末に送信する。
【００１８】
次に、本発明の実施形態１に係る部品発注システムの動作について説明する。
【００１９】
まず、設計用部品検索システム２にて、設計者は装置や電子回路等に使用する１又は複数の部品に対応する代表品名を検索し、検索により抽出された代表品名を選択した後、当該代表品名がＣＡＤライブラリシステム３に向けて出力される。
【００２０】
次に、ＣＡＤライブラリシステム３にて、設計用部品検索システム２からの代表品名が入力されると、当該代表品名に対応するライブラリ（例えば、部品の仕様など；部品１に係るライブラリ〜部品Ｎに係るライブラリ）が読み出されて、当該ライブラリがＣＡＤ設計システム４に向けて出力される。
【００２１】
次に、ＣＡＤ設計システム４にて、設計者がＣＡＤライブラリシステム３からのライブラリに基づいて設計（電気設計、機械設計など）を行い、設計者が設計図及び部品表を作成し、作成された設計図及び部品表（代表品名よりなる表）が出力（表示、印刷等）され、部品表については発注用部品情報システム５に向けて出力される。
【００２２】
次に、発注用部品情報システム５にて、ＣＡＤ設計システム４からの部品表が入力されることにより、当該部品表に含まれた代表品名が抽出され、当該代表品名に対応する生産最適荷姿品名に変換され、当該生産最適荷姿品名が発注システム６に向けて出力される。
【００２３】
最後に、発注システム６にて、発注用部品情報システム５からの生産最適荷姿品名が入力されることにより、生産最適荷姿品名に基づいて発注票が生成される。これにより、当該発注票を受注者の端末に送信するか、当該発注票を出力（表示、印刷等）したりすることになる。
【００２４】
実施形態１によれば、設計者に荷姿を意識させることなく、部品発注及び生産が可能となる。また、設計者は荷姿を意識することなく設計できるため、設計が効率化され設計リードタイムを短縮することができる。さらに、発注者は生産部門の所要に応じて適宜、荷姿を変更することにより不良在庫部品を持つことなく生産コストを最小化することができる。
【図面の簡単な説明】
【００２５】
【図１】本発明の実施形態１に係る部品発注システムの構成を模式的に示したブロック図である。
【図２】従来例に係る部品発注システムの構成を模式的に示したブロック図である。
【符号の説明】
【００２６】
１、１０１  部品発注システム
２、１０２  設計用部品検索システム
３、１０３  ＣＡＤライブラリシステム
４、１０４  ＣＡＤ設計システム
５  発注用部品情報システム
６、１０６  発注システム
【図１】
2006252127.tif 000003
【図２】
2006252127.tif 000004